(57)【要約】【課題】容易にケーブルラックに取り付けることができ、その取り付けは強固であって信頼性に富み、その上、一旦取り付けた後何度でもやり直しが出来るケーブル等の線条体保護具を提供する。【解決手段】断面が略扇形の柱体で外側面がアール形状から成る保護具本体１を設け、当該保護具本体１の背面に、断面略鉤型で、一方の側面を上記保護具本体１の背面に沿って固定し、他方の側面の水平に突出した先端縁を折り返してフック２ａを形成した係止具２を設け、アングル材から成り、上面に線条体を導通する立設物の一端縁角部に、上記係止具２のフック２ａを引っ掛けて取り付ける。【選択図】図１
0003183818.tif 000002
【実用新案登録請求の範囲】
【請求項１】
断面が略扇形の柱体で外側面がアール形状から成る保護具本体を設け、
当該保護具本体の背面に、断面略鉤型で、一方の側面を上記保護具本体の背面に沿って固定し、他方の側面の水平に突出した先端縁を折り返してフックを形成した係止具を設け、
アングル材から成り、上面に線条体を導通する立設物の一端縁角部に、上記係止具のフックを引っ掛けて取り付けることを特徴とした、線条体保護具。
【請求項２】
上記係止具のフックは、水平な側面又は垂直な側面が伸縮自在としたことを特徴とする、上記請求項１に記載の線条体保護具。
【請求項３】
上記係止具の形状は、略鉤型で二つの側面の各両端縁を折り返して２つのフックを形成したことを特徴とする、上記請求項１又は２に記載の線条体保護具。
【請求項４】
上記保護具本体の外面である曲面の一端又は両端にケーブルの外れ止め用の伸縮自在な突起を設けたことを特徴とする、上記請求項１、２又は３の何れかに記載の線条体保護具。
【考案の詳細な説明】
【技術分野】
【０００１】
この考案は、例えば、LANケーブルなどの通信ケーブル等を導通するケーブルラック等の上端角部に取り付けて上記ケーブル等をラックに巻き回して配線する際に上記ケーブルの被覆を損傷させることなくケーブルラックの上端に仮掛けすることが出来るケーブル等の線条体保護具に関するものである。
【背景技術】
【０００２】
従来、屋内配線工事等において、通信ケーブルをケーブルラックに導入させる際、通信ケーブルを円滑に引き回すためにケーブルラックの上を仮掛けさせるが、この様なケーブルラックの上端縁からケーブルを下方へ垂下させて配線する際に、ケーブルラックの上端角部に取り付けるケーブル保護具を使用する。
【０００３】
例えば、図１４に示す、断面略扇型の柱体で外側面がアール形状に成っているケーブル保護具１０をケーブルラックＥの上端縁の一側面角部にあてがい、このケーブル保護具１０に予め設けられた通孔に帯状結束具１１を挿通して、上記ケーブルラックＥの上端の横に渡された部材に掛け回してこれらを固定している。
【０００４】
【非特許文献１】パンドウイット社「製品仕様書  J-ModTM 縦型ウォーターフォール ベース  Part Numbers : CMWB（制定2008年9月5日）」
【考案の開示】
【考案が解決しようとする課題】
【０００５】
しかしながら、上記方法では、手間がかかる割にグラグラして固定が不安定であり、まして、長期にわたっての取り付けと言う点に関しては帯状結束具で固定しているだけなので、信頼性に欠ける部分がある。また、この帯状結束具は一旦結束した後は、やり直しがきかず、切断するしかなく融通が利かない。
【０００６】
この考案は、これらの点に鑑みて為されたもので、容易にケーブルラックに取り付けることができ、その取り付けは強固であって信頼性に富み、その上、一旦取り付けた後何度でもやり直しが出来るケーブル等の線条体保護具を提供して前記課題を解決するものである。
【課題を解決するための手段】
【０００７】
請求項１の考案は、断面が略扇形の柱体で外側面がアール形状から成る保護具本体を設け、当該保護具本体の背面に、断面略鉤型で、一方の側面を上記保護具本体の背面に沿って固定し、他方の側面の水平に突出した先端縁を折り返してフックを形成した係止具を設け、アングル材から成り、上面に線条体を導通する立設物の一端縁角部に、上記係止具のフックを引っ掛けて取り付ける線条体保護具とした。
【０００８】
請求項２の考案は、上記係止具のフックは、水平な側面又は垂直な側面が伸縮自在とした上記請求項１に記載の線条体保護具とした。
【０００９】
請求項３の考案は、上記係止具の形状は、略鉤型で二つの側面の各両端縁を折り返して２つのフックを形成した上記請求項１又は２に記載の線条体保護具とした。
【００１０】
請求項４の考案は、上記保護具本体の外面である曲面の一端又は両端にケーブルの外れ止め用の伸縮自在な突起を設けた上記請求項１、２又は３の何れかに記載の線条体保護具とした。
【考案の効果】
【００１１】
請求項１の考案によれば、線条体保護具は、ワンタッチで容易かつ確実に取り付けられ、一旦取り付けられた後は不用意に外れたりしない。よって、アングル材から成る立設物に取り付けられる線条体保護具としては信頼性が高いものである。
【００１２】
請求項２の考案によれば、係止具のフックの基部側面を伸縮自在としたので、よりアングル材から成る立設物に係止し易くなり、扱い易くなる。これにより、線条体保護具をより強固に、また安定してケーブルラックに取り付けることが出来る。また、アングル材の大きさが異なっても、これに対応して係止可能である。
【００１３】
請求項３の考案によれば、係止具の両端縁を折り返して２つのフックを形成したので、よりアングル材から成る立設物に係止し易くなり、扱い易くなる。これにより、線条体保護具をより強固に、また安定してケーブルラックに取り付けることが出来る。
【００１４】
請求項４の考案によれば、保護具本体の外面である曲面の一端又は両端にケーブル外れ止め用の伸縮自在な突起を設けたので、立設物に、この線条体保護具を取り付け、この線条体保護具の上を通して線条体を垂下させた際、上記突起がガイドとなって線条体が当該線条体保護具上をはみ出てしまうと言うことが無く、安心してこの保護具上を垂下させることが出来、極めて便利である。
【００１５】
また、これらの突起を伸縮自在に設けているので、不要な時、縮めておけば邪魔にならず、さらに、便利である。
【図面の簡単な説明】
【００１６】
【図１】この考案の実施の形態例１の線条体保護具の斜視図である。
【図２】この考案の実施の形態例１の線条体保護具の側面図である。
【図３】この考案の実施の形態例１の線条体保護具をケーブルラックに取り付けた状態の一部斜視図である。
【図４】この考案の実施の形態例１の線条体保護具をケーブルラックに取り付けた状態の一部省略側面図である。
【図５】この考案の実施の形態例２の線条体保護具の側面図である。
【図６】この考案の実施の形態例２の線条体保護具の係止具の一部省略平面図である。
【図７】この考案の実施の形態例２の線条体保護の一部省略側面図である。
【図８】この考案の実施の形態例３の線条体保護具の側面図である。
【図９】この考案の実施の形態例３の線条体保護具の水平に突出した側面のフックを伸縮自在に設けた状態の側面図である。
【図１０】この考案の実施の形態例３の線条体保護具の二つのフックを伸縮自在に設けた状態の側面図である。
【図１１】この考案の実施の形態例３の線条体保護具の保護具本体の垂直に突出した側面の係止部の突出構造を示す一部側面図である。
【図１２】この考案の実施の形態例３の線条体保護具を縦のアングル材に縦向きに取り付けた状態の斜視図である。
【図１３】この考案の実施の形態例４の線条体保護具の斜視図である。
【図１４】従来例の斜視図である。
【考案を実施するための形態】
【００１７】
（実施の形態例１）
以下、この考案の実施の形態例１の線条体保護具を図に基づいて説明する。この実施の形態例１の線条体保護具Ａ（以下、単に「保護具Ａ」と言う。）は、樹脂製で、図１に示す様に、断面が扇形の柱体で外側面がアール形状の保護具本体１と、この保護具本体１の背面に取り付ける係止具２から成る。
【００１８】
上記保護具本体１は、軽量とするためにここでは中空とする。さらに、底面を開口面とし、強度を保つために内側に複数のリブを設けても良い（図示省略）。また、軽量とするために、この保護具本体の外面に溝を複数設けても良い（図示省略）。
【００１９】
係止具２は、図２に示す様に、断面鉤型で、一方の側面を上記保護具本体１の背面の中央に沿って接着剤やネジで固定し、他方の側面の水平に突出した先端縁を一定長下方に折り返してフック２ａを形成する。
【００２０】
次に、この保護具Ａを使って、アングル材から成るケーブルラックＥに取り付ける。図３及び図４に示す様に、ケーブルラックＥの上端縁のアングル材の一側面角部の上面片に、上記係止具２のフック２ａを引っ掛けて係止具２の垂直面を外側面に当ててワンタッチで取り付ける。
【００２１】
これで、保護具Ａはグラグラせず、もちろん片方へ傾斜したりせず、容易かつ確実に、また安定して取り付けられ、一旦取り付けられた後は不用意に外れたりしない。よって、ケーブルラックＥに取り付けられる保護具としては、信頼性が高いものである。
【００２２】
また、この保護具ＡをケーブルラックＥの上端縁の部材の一側面角部に上記係止具２のフック２ａを係止し取り付けているが、この保護具Ａを取り付けるのは、ケーブルラックＥの上端縁の一側面角部に限らず、この保護具Ａが取付けられる個所であるならば良い。
【００２３】
（実施の形態例２）
次に、この考案の実施の形態例２の保護具Ｂを図に基づいて説明する。ここでは、上記実施の形態例１と相違する構成についてのみ説明する。この実施の形態例２の保護具Ｂは、図５及び図６に示す様に、フック３ａの水平側面部を伸縮自在に設けている。
【００２４】
伸縮構造としては、図６及び図７に示す様に、フック３ａを設けている係止具３の根元部３ｄに空洞３ｂを設け、フック３ａの反対側の端部の全周囲を一段小さく設けて摺動部３ｃとしている。この摺動部３ｃを上記空洞３ｂの中を出し入れして伸縮自在としている。
【００２５】
また、この根元部３ｄの外側の中央の位置に長孔３ｅを設け、この長孔３ｅ内にネジ３ｆを通し、当該ネジ３ｆの脚部を摺動部３ｃに予め設けたネジ穴に螺入し、突出具合が決まった摺動部３ｃに対して上記ネジ３ｆを締め付ければ当該摺動部３ｃが不用意に動くことは無く、安心である。また、この長孔３ｅはフック３ａを設けた他方の突出した側面の長手方向に長い通孔となっているので、この長さだけ摺動部３ｃの突出位置を調整することが出来る。
【００２６】
さらに、この図７に示す様に、係止具３を保護具本体１の背面に取り付ける際、係止具３の上端縁の位置を保護具本体１の背面の上端縁よりやや下の位置にしておくことで、上記ネジ３ｆの頭部が上記根元部３ｄから突出しても、ケーブルＦがこの保護具Ｂ上を通した際も接触することがなく、安全である。
【００２７】
この様にすることにより、保護具Ｂをより強固に、また安定してケーブルラックＥに取り付けることが出来る。また、ケーブルラックＥを構成するアングル材の二つの側面の大きさが異なっても、係止具３のフック３ａの突出長を調整出来るので、当該保護具Ｂを取り付けることが出来る。
【００２８】
（実施の形態例３）
続いて、この考案の実施の形態例３の保護具Ｃを図に基づいて説明する。ここでは、上記実施の形態例１及び２と相違する構成についてのみ説明する。実施の形態例３の保護具Ｃでは、図８に示す様に、係止具４の鉤型の二つの側面の各両端縁を折り返してフック４ａを夫々設けている。
【００２９】
この保護具Ｃの場合、垂直の突出した側面のフック４ａ´の折り返し部を水平に突出した側面のフック４ａの折り返し部より幾分短く設けている。この様にすることにより、アングル材から成るケーブルラックＥに、この係止具Ｃを引っ掛けて取り付け易くなる。また、この係止具Ｃを樹脂製としたので、ケーブルラックＥのアングル材にパチンと柔軟に、かつ強固に止めることが出来、便利である。また、２つのフック４ａ、４ａ´でケーブルラックＥの部材に取り付けられるので、より強固にかつ安定して取り付けることが出来、信頼性が高いものである。
【００３０】
また、もちろん、この保護具Ｃにおいて、図９示す様に、保護具本体１の水平に突出したフック４ａを伸縮自在に設けることも出来る。
【００３１】
この保護具ＣをケーブルラックＥに取り付ける場合、まず、ケーブルラックＥの上端縁のアングル材に、保護具本体１の背面側のフック４ａ（このフック４ａの折り返し部を短くしていない。）から取り付け、その後、水平に突出したフック４ａの取り付けであるが、予め伸長させていたものを短くして上端縁の部材に係止する。
【００３２】
さらに、保護具本体１の背面側の垂直に突出したフック４ａ（このフック４ａでも折り返し部は短くしていない。）を伸縮自在に設けることが出来る。この場合、図１０及び図１１に示す様に、フック４ａの突出具合を調整するネジ４ｂを設ける個所に凹部４ｃを設け、このネジ４ｂの頭部４ｄが突出しないようにしている。その他の構成の長孔４ｅ等は、上記実施の形態例２と同様である。
【００３３】
また、この保護具ＣをケーブルラックＥの上端縁のアングル材に上記係止具４のフック４ａを引っ掛けて取り付けているが、この保護具Ｃを取り付けるのは、ケーブルラックＥの上端縁に限らず、図１２に示す様に、縦のアングル材にこの保護具Ｃを縦向きにして引っ掛けても容易に取付ることが出来る。また、少なくともどちらか一方のフック４ａを伸縮自在に設ければ、アングル材の二つの側面の大きさが異なっても容易に、かつ強固に取り付けることが出来る。
【００３４】
（実施の形態例４）
さらに、この考案の実施の形態例４の保護具Ｄを図に基づいて説明する。ここでは、上記実施の形態例１、２及び３と相違する構成についてのみ説明する。実施の形態例４の保護具Ｄでは、図１３に示す様に、保護具本体１の外面である曲面の両端に伸縮自在な突起５を設けている。
【００３５】
これにより、ケーブルラックＥの上端縁の部材に、この保護具Ｄを取り付け、この保護具Ｄの上を通してケーブルＦを垂下させた際、上記２本の突起５がガイド（ガード）となってケーブルＦが当該保護具Ｄ上をはみ出てしまうと言うことが無く、安心してこの保護具Ｄ上を垂下させることが出来、極めて便利である。
【００３６】
また、これらの突起５をラジオのアンテナの様にテレスコピック式に伸縮自在に設けておけば、不要な時、縮めておけば邪魔にならず、また、その基部で、回転、固定自在にしておけば、不要な時は下方へ向けておけば邪魔にならず、さらに、便利である。
【００３７】
上記実施の形態例では、ケーブルラックＥにケーブルＦを垂下する場合で説明したが、この場合に限らず、この保護具Ａ、Ｂ、Ｃ又はＤを取付けて、線条体を傷つけずに導通させることが出来るなら、他の場合も含むものである。
【００３８】
また、上記実施の形態例では、保護具本体１の構成として、中空、底面開口及びリブ構造など具体的に記載しているが、保護具本体１の構成としては必ずしもこれらのものに限るものでは無い。さらに、フック３ａの伸縮構造として具体例を上げているが、フック３ａの伸縮構造としてはこれに限るものではなく、他の既存の伸縮構造でももちろん良い。
【００３９】
また、係止具２〜４を保護具本体１の背面の中央に１つ設けているが、係止具２〜４を設けるのは１つに限らず、また、保護具本体１の背面中央に限らず、左右夫々に設けても良い。また、材質として樹脂製としているが、これに限るものでは無く、最適な材質を使用すれば良い。
【符号の説明】
【００４０】
Ａ    保護具            Ｂ    保護具            Ｃ    保護具
Ｄ    保護具            Ｅ    ケーブルラック    Ｆ    ケーブル
１    保護具本体        ２    係止具            ２ａ  フック
３    係止具            ３ａ  フック            ３ｂ  空洞
３ｃ  摺動部            ３ｄ  根元部            ３ｅ  長孔
３ｆ  ネジ              ４    係止具            ４ａ  フック
４ａ´フック            ４ｂ  ネジ              ４ｃ  凹部
４ｄ  頭部              ４ｅ  長孔              ５    突起
１０    （従来の）保護具
１１    帯状結束具
【図１】
0003183818.tif 000003
【図２】
0003183818.tif 000004
【図３】
0003183818.tif 000005
【図４】
0003183818.tif 000006
【図５】
0003183818.tif 000007
【図６】
0003183818.tif 000008
【図７】
0003183818.tif 000009
【図８】
0003183818.tif 000010
【図９】
0003183818.tif 000011
【図１０】
0003183818.tif 000012
【図１１】
0003183818.tif 000013
【図１２】
0003183818.tif 000014
【図１３】
0003183818.tif 000015
【図１４】
0003183818.tif 000016